【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
フレーム毎に、水平方向全体に渡って帯状領域を上側と下側に付して左目用の画像と右目用の画像をH.264 AVC/MVCによって符号化して得られる基本ストリームおよび拡張ストリームと、字幕のデータを符号化して得られる字幕ストリームと、前記フレームの上端を基準とした、前記左目用の画像と前記右目用の画像の有効画枠の上端の位置を求めることに用いられる第１のオフセット値、前記有効画枠の下端の位置を求めることに用いられる第２のオフセット値、および移動後の前記有効画枠の上端の位置を求めることに用いられる第３のオフセット値を含む前記有効画枠の配置位置を示す情報が、前記字幕ストリームのPIDを含むテーブル情報とは別の情報として拡張領域に含まれるプレイリストファイルと、を記録媒体から読み出す読み出し部と、
前記基本ストリームおよび前記拡張ストリームを復号する第１の復号部と、
前記PIDによりデータを格納するパケットが特定される前記字幕ストリームを復号する第２の復号部と、
前記第１のオフセット値を用いて前記有効画枠の上端の位置を求めるとともに、前記第２のオフセット値を用いて前記有効画枠の下端の位置を求め、前記基本ストリームおよび前記拡張ストリームを復号して得られた前記フレームから、前記左目用の画像と前記右目用の画像の前記有効画枠を切り出す切り出し部と、
上側の前記帯状領域と下側の前記帯状領域のうちの一方の前記帯状領域の一部を他方の前記帯状領域に足し合わせた、前記帯状領域より幅の広い前記有効画枠外の領域が前記有効画枠の上と下の一方に形成され、前記帯状領域より幅の狭い前記有効画枠外の領域が前記有効画枠の上と下の他方に形成されるように、前記第３のオフセット値を用いて求められた位置に前記左目用の画像と前記右目用の画像の前記有効画枠を配置する配置処理部と、
前記フレーム内の領域のうち、前記配置処理部により配置された前記有効画枠外の領域に所定の色を設定する設定部と、
前記第２の復号部により復号された前記字幕にオフセットを設定し、左目用の字幕と右目用の字幕を生成する生成部と、
前記有効画枠外の領域に前記所定の色が設定された前記左目用の画像と、前記左目用の字幕を合成する第１の合成部と、
前記有効画枠外の領域に前記所定の色が設定された前記右目用の画像と、前記右目用の字幕を合成する第２の合成部と
を備え、
前記配置処理部は、前記帯状領域より幅の広い前記有効画枠外の領域の幅が狭くなり、前記帯状領域より幅の狭い前記有効画枠外の領域の幅が広くなるように、前記有効画枠を再配置することを可能とした
再生装置。
【請求項２】
フレーム毎に、水平方向全体に渡って帯状領域を上側と下側に付して左目用の画像と右目用の画像をH.264 AVC/MVCによって符号化して得られる基本ストリームおよび拡張ストリームと、
字幕のデータを符号化して得られる字幕ストリームと、
前記フレームの上端を基準とした、前記左目用の画像と前記右目用の画像の有効画枠の上端の位置を求めることに用いられる第１のオフセット値、前記有効画枠の下端の位置を求めることに用いられる第２のオフセット値、および移動後の前記有効画枠の上端の位置を求めることに用いられる第３のオフセット値を含む前記有効画枠の配置位置を示す情報が、前記字幕ストリームのPIDを含むテーブル情報とは別の情報として拡張領域に含まれるプレイリストファイルと
を含む情報を記録した記録媒体であって、
前記記録媒体の再生装置においては、
前記基本ストリーム、前記拡張ストリーム、前記字幕ストリーム、および前記プレイリストファイルが前記記録媒体から読み出され、
前記基本ストリームおよび前記拡張ストリームが復号され、
前記テーブル情報に含まれるPIDによりデータを格納するパケットが特定される前記字幕ストリームが復号され、
前記第１のオフセット値を用いて前記有効画枠の上端の位置が求められるとともに、前記第２のオフセット値を用いて前記有効画枠の下端の位置が求められ、前記基本ストリームおよび前記拡張ストリームを復号して得られた前記フレームから、前記左目用の画像と前記右目用の画像の前記有効画枠が切り出され、
上側の前記帯状領域と下側の前記帯状領域のうちの一方の前記帯状領域の一部を他方の前記帯状領域に足し合わせた、前記帯状領域より幅の広い前記有効画枠外の領域が前記有効画枠の上と下の一方に形成され、前記帯状領域より幅の狭い前記有効画枠外の領域が前記有効画枠の上と下の他方に形成されるように、前記第３のオフセット値を用いて求められた位置に前記左目用の画像と前記右目用の画像の前記有効画枠が配置され、
前記フレーム内の領域のうち、配置された前記有効画枠外の領域に所定の色が設定され、
前記字幕ストリームを復号して得られた前記字幕にオフセットが設定され、左目用の字幕と右目用の字幕が生成され、
前記有効画枠外の領域に前記所定の色が設定された前記左目用の画像と、前記左目用の字幕が合成され、
前記有効画枠外の領域に前記所定の色が設定された前記右目用の画像と、前記右目用の字幕が合成され、
前記帯状領域より幅の広い前記有効画枠外の領域の幅が狭くなり、前記帯状領域より幅の狭い前記有効画枠外の領域の幅が広くなるように、前記有効画枠を再配置することが可能とされた
記録媒体。
【請求項３】
フレーム毎に、水平方向全体に渡って帯状領域を上側と下側に付して左目用の画像と右目用の画像をH.264 AVC/MVCによって符号化し、
字幕のデータを符号化し、
前記フレームの上端を基準とした、前記左目用の画像と前記右目用の画像の有効画枠の上端の位置を求めることに用いられる第１のオフセット値、前記有効画枠の下端の位置を求めることに用いられる第２のオフセット値、および移動後の前記有効画枠の上端の位置を求めることに用いられる第３のオフセット値を含む前記有効画枠の配置位置を示す情報が、前記字幕ストリームのPIDを含むテーブル情報とは別の情報として拡張領域に含まれるプレイリストファイルを生成し、
前記左目用の画像と前記右目用の画像を符号化して得られる基本ストリームおよび拡張ストリームと、前記字幕のデータを符号化して得られる字幕ストリームと、前記プレイリストファイルとを記録媒体に記録させる
ステップを含む情報処理方法であって、
前記記録媒体の再生装置においては、
前記基本ストリーム、前記拡張ストリーム、前記字幕ストリーム、および前記プレイリストファイルが前記記録媒体から読み出され、
前記基本ストリームおよび前記拡張ストリームが復号され、
前記テーブル情報に含まれるPIDによりデータを格納するパケットが特定される前記字幕ストリームが復号され、
前記第１のオフセット値を用いて前記有効画枠の上端の位置が求められるとともに、前記第２のオフセット値を用いて前記有効画枠の下端の位置が求められ、前記基本ストリームおよび前記拡張ストリームを復号して得られた前記フレームから、前記左目用の画像と前記右目用の画像の前記有効画枠が切り出され、
上側の前記帯状領域と下側の前記帯状領域のうちの一方の前記帯状領域の一部を他方の前記帯状領域に足し合わせた、前記帯状領域より幅の広い前記有効画枠外の領域が前記有効画枠の上と下の一方に形成され、前記帯状領域より幅の狭い前記有効画枠外の領域が前記有効画枠の上と下の他方に形成されるように、前記第３のオフセット値を用いて求められた位置に前記左目用の画像と前記右目用の画像の前記有効画枠が配置され、
前記フレーム内の領域のうち、配置された前記有効画枠外の領域に所定の色が設定され、
前記字幕ストリームを復号して得られた前記字幕にオフセットが設定され、左目用の字幕と右目用の字幕が生成され、
前記有効画枠外の領域に前記所定の色が設定された前記左目用の画像と、前記左目用の字幕が合成され、
前記有効画枠外の領域に前記所定の色が設定された前記右目用の画像と、前記右目用の字幕が合成され、
前記帯状領域より幅の広い前記有効画枠外の領域の幅が狭くなり、前記帯状領域より幅の狭い前記有効画枠外の領域の幅が広くなるように、前記有効画枠を再配置することが可能とされた
情報処理方法。
【手続補正２】
【補正対象書類名】明細書
【補正対象項目名】００１２
【補正方法】変更
【補正の内容】
【００１２】
本技術の再生装置は、フレーム毎に、水平方向全体に渡って帯状領域を上側と下側に付して左目用の画像と右目用の画像をH.264 AVC/MVCによって符号化して得られる基本ストリームおよび拡張ストリームと、字幕のデータを符号化して得られる字幕ストリームと、前記フレームの上端を基準とした、前記左目用の画像と前記右目用の画像の有効画枠の上端の位置を求めることに用いられる第１のオフセット値、前記有効画枠の下端の位置を求めることに用いられる第２のオフセット値、および移動後の前記有効画枠の上端の位置を求めることに用いられる第３のオフセット値を含む前記有効画枠の配置位置を示す情報が、前記字幕ストリームのPIDを含むテーブル情報とは別の情報として拡張領域に含まれるプレイリストファイルと、を記録媒体から読み出す読み出し部と、前記基本ストリームおよび前記拡張ストリームを復号する第１の復号部と、前記PIDによりデータを格納するパケットが特定される前記字幕ストリームを復号する第２の復号部と、前記第１のオフセット値を用いて前記有効画枠の上端の位置を求めるとともに、前記第２のオフセット値を用いて前記有効画枠の下端の位置を求め、前記基本ストリームおよび前記拡張ストリームを復号して得られた前記フレームから、前記左目用の画像と前記右目用の画像の前記有効画枠を切り出す切り出し部と、上側の前記帯状領域と下側の前記帯状領域のうちの一方の前記帯状領域の一部を他方の前記帯状領域に足し合わせた、前記帯状領域より幅の広い前記有効画枠外の領域が前記有効画枠の上と下の一方に形成され、前記帯状領域より幅の狭い前記有効画枠外の領域が前記有効画枠の上と下の他方に形成されるように、前記第３のオフセット値を用いて求められた位置に前記左目用の画像と前記右目用の画像の前記有効画枠を配置する配置処理部と、前記フレーム内の領域のうち、前記配置処理部により配置された前記有効画枠外の領域に所定の色を設定する設定部と、前記第２の復号部により復号された前記字幕にオフセットを設定し、左目用の字幕と右目用の字幕を生成する生成部と、前記有効画枠外の領域に前記所定の色が設定された前記左目用の画像と、前記左目用の字幕を合成する第１の合成部と、前記有効画枠外の領域に前記所定の色が設定された前記右目用の画像と、前記右目用の字幕を合成する第２の合成部とを備え、前記配置処理部は、前記帯状領域より幅の広い前記有効画枠外の領域の幅が狭くなり、前記帯状領域より幅の狭い前記有効画枠外の領域の幅が広くなるように、前記有効画枠を再配置することを可能とした再生装置である。
【手続補正３】
【補正対象書類名】明細書
【補正対象項目名】００１３
【補正方法】変更
【補正の内容】
【００１３】
本技術の記録媒体は、フレーム毎に、水平方向全体に渡って帯状領域を上側と下側に付して左目用の画像と右目用の画像をH.264 AVC/MVCによって符号化して得られる基本ストリームおよび拡張ストリームと、字幕のデータを符号化して得られる字幕ストリームと、前記フレームの上端を基準とした、前記左目用の画像と前記右目用の画像の有効画枠の上端の位置を求めることに用いられる第１のオフセット値、前記有効画枠の下端の位置を求めることに用いられる第２のオフセット値、および移動後の前記有効画枠の上端の位置を求めることに用いられる第３のオフセット値を含む前記有効画枠の配置位置を示す情報が、前記字幕ストリームのPIDを含むテーブル情報とは別の情報として拡張領域に含まれるプレイリストファイルとを含む情報を記録した記録媒体である。前記記録媒体の再生装置においては、前記帯状領域より幅の広い前記有効画枠外の領域の幅が狭くなり、前記帯状領域より幅の狭い前記有効画枠外の領域の幅が広くなるように、前記有効画枠を再配置することが可能とされる。
【手続補正４】
【補正対象書類名】明細書
【補正対象項目名】００１４
【補正方法】変更
【補正の内容】
【００１４】
本技術の情報処理方法は、フレーム毎に、水平方向全体に渡って帯状領域を上側と下側に付して左目用の画像と右目用の画像をH.264 AVC/MVCによって符号化し、字幕のデータを符号化し、前記フレームの上端を基準とした、前記左目用の画像と前記右目用の画像の有効画枠の上端の位置を求めることに用いられる第１のオフセット値、前記有効画枠の下端の位置を求めることに用いられる第２のオフセット値、および移動後の前記有効画枠の上端の位置を求めることに用いられる第３のオフセット値を含む前記有効画枠の配置位置を示す情報が、前記字幕ストリームのPIDを含むテーブル情報とは別の情報として拡張領域に含まれるプレイリストファイルを生成し、前記左目用の画像と前記右目用の画像を符号化して得られる基本ストリームおよび拡張ストリームと、前記字幕のデータを符号化して得られる字幕ストリームと、前記プレイリストファイルとを記録媒体に記録させるステップを含む。前記記録媒体の再生装置においては、前記帯状領域より幅の広い前記有効画枠外の領域の幅が狭くなり、前記帯状領域より幅の狭い前記有効画枠外の領域の幅が広くなるように、前記有効画枠を再配置することが可能とされる。